(57)【要約】【課題】小型化・薄型化を実現しながら良好な音響効果を得ることができる電子機器（例えば、撮像装置）を実現する。【解決手段】電子機器（例えば、撮像装置）は、筐体（１００）と、発音部を有し、筐体の内部に設けられた発音体（２００）と、筐体との間に隙間を有するように筐体に設けられた可動部（１１０）と、筐体の内部において発音体の発音部と可動部の間を連通する連通部と、を備える。【選択図】図３
2010273334.tif 000002
【特許請求の範囲】
【請求項１】
筐体と、
発音部を有し、前記筐体の内部に設けられた発音体と、
前記筐体との間に隙間を有するように前記筐体に設けられた可動部と、
前記筐体の内部において前記発音体の発音部と前記可動部の間を連通する連通部と、
を備えることを特徴とする電子機器。
【請求項２】
さらに収納部を備え、
前記可動部は前記収納部を隠蔽する開閉可能な蓋である、ことを特徴とする請求項１に記載の電子機器。
【請求項３】
前記収納部は電池及び／又は記憶媒体を収納する、ことを特徴とする請求項２に記載の電子機器。
【請求項４】
さらに、外部接続端子を備え、
前記可動部は前記外部接続端子を隠蔽する開閉可能な蓋である、ことを特徴とする請求項１に記載の電子機器。
【請求項５】
前記可動部は操作スイッチである、ことを特徴とする請求項１に記載の電子機器。
【請求項６】
前記発音体の音声出力側に配置され、前記発音体を固定する固定部材と、
前記発音体と前記固定部材との間に挟持され、前記連通部の気密を保持する第１の遮蔽部材と、
をさらに備えることを特徴とする請求項１記載の電子機器。
【請求項７】
前記固定部材と前記筐体との間に配置され、前記連通部の気密を保持する第２の遮蔽部材をさらに備えることを特徴とする請求項６に記載の電子機器。
【請求項８】
被写体を撮像して画像データを生成する撮像装置であって、
筐体と、
発音部を有し、前記筐体の内部に設けられた発音体と、
前記筐体との間に隙間を有するように前記筐体に設けられた可動部と、
前記筐体の内部において前記発音体の発音部と前記可動部の間を連通する連通部と、
を備えることを特徴とする撮像装置。
【発明の詳細な説明】
【技術分野】
【０００１】
本発明は、音声を再生出力可能なスピーカーを備えた電子機器及び撮像装置に関する。
【背景技術】
【０００２】
近年、電子機器の一種であるデジタルカメラは、被写体を動画として撮影する機能およびその動画を再生する機能が付加されることが多い。デジタルカメラで動画を再生する場合、映像はデジタルカメラに搭載された液晶モニターに表示され、音声はデジタルカメラに搭載されたスピーカーから出力される。
【０００３】
特許文献１には、デジタルカメラにおけるスピーカーの配置構成が開示されている。特許文献１に開示されたデジタルカメラでは、筐体に多孔部が設けられ、その多孔部の内側にスピーカーが配置されている。スピーカーから発せられた音声は、多孔部を介して外部に出力される。
【先行技術文献】
【特許文献】
【０００４】
【特許文献１】特開２００３−２８３８９６号公報
【発明の概要】
【発明が解決しようとする課題】
【０００５】
しかしながら、デジタルカメラはさらなる小型化・薄型化が進んでおり、そのため、筐体に多孔部を設けることが困難になってきている。よって、良好な音響効果を得ることが困難になってきている。
【０００６】
本発明は、上記問題に鑑み、小型化・薄型化を実現しながら良好な音響効果を得ることができる電子機器を実現することを目的とする。
【課題を解決するための手段】
【０００７】
本発明に係る電子機器は、筐体と、発音部を有し筐体の内部に設けられた発音体と、筐体との間に隙間を有するように筐体に設けられた可動部と、筐体の内部において発音体の発音部と可動部の間を連通する連通部とを備える。
【０００８】
本発明に係る撮像装置は、被写体を撮像して画像データを生成する撮像装置であって、筐体と、発音部を有し筐体の内部に設けられた発音体と、筐体との間に隙間を有するように筐体に設けられた可動部と、筐体の内部において発音体の発音部と可動部の間を連通する連通部と、を備える。
【発明の効果】
【０００９】
本発明によれば、発音体から発せられた音声を、連通部を介して可動部まで導き、筐体と可動部との間の間隙から外部に音声を出力する。連通部を介して音声を装置の外部に導くことにより、筐体に設けられた音声出力用の孔の位置に依存せず、スピーカーの配置位置を決定できる。このため、スピーカー配置の自由度が増し、所望の場所にスピーカーを配置できることから、電子機器の小型化・薄型化を実現できる。また、筐体と可動部の間の隙間から音声を出力するため、筐体に音声出力用の多孔部を設けなくとも良好な音響効果を得ることができる。
【図面の簡単な説明】
【００１０】
【図１】デジタルカメラの三面図(一部透視している）である。図１（ａ）は、デジタルカメラの正面図。図１（ｂ）は、デジタルカメラの右側面図である。図１（ｃ）は、デジタルカメラの底面図。
【図２】音声出力に関連するデジタルカメラの要部の透視図である。図２（ａ）は、デジタルカメラの右側面の要部透視図である。図２（ｂ）は、デジタルカメラの上面の要部透視図。
【図３】スピーカー及びその周辺の詳細図
【図４】一般的なスピーカー装置の構成図
【図５】筐体の外部に放出される音声の周波数特性を示す第一のグラフ
【図６】筐体の外部に放出される音声の周波数特性を示す第二のグラフ
【図７】デジタルカメラの背面図
【発明を実施するための形態】
【００１１】
（実施の形態）
１．構成
図１は、本実施の形態における電子機器の一例であるデジタルカメラの三面図(一部透視している）である。図１（ａ）は、デジタルカメラの正面図である。図１（ｂ）は、デジタルカメラの右側面図である。デジタルカメラの左右は、デジタルカメラを背面側から見たときの左右をもって示すこととする。図１（ｃ）は、デジタルカメラの底面図である。なお、本実施の形態では、電子機器の一例としてデジタルカメラを挙げているが、少なくとも音声を出力可能なスピーカーを備えた電子機器であればよく、例えば携帯電話端末、携帯型テレビジョン受像機、携帯ゲーム機などでもよい。
【００１２】
図１（ａ）〜図１（ｃ）に示すように、デジタルカメラは、筐体１００によって覆われている。デジタルカメラの前面には、外部の光をデジタルカメラ内に取り込むことが可能な交換レンズ１０１が配されている。交換レンズ１０１は、主にレンズと鏡筒から構成され、デジタルカメラの内部に配されている撮像素子まで光を導くことができる。交換レンズ１０１には、ズームリング１０１ａとフォーカスリング１０１ｂが配されている。この交換レンズ１０１においては、ズームリング１０１ａを回転操作することにより交換レンズ１０１の焦点距離を変えることができる。また、フォーカスリング１０１ｂを回転操作することにより被写体に焦点を合わせることができる。また、レンズ取り外しボタン１０２を押圧操作することにより交換レンズ１０１を取り外すことができる。また、様々な交換レンズを取り替えて使用することができる。
【００１３】
デジタルカメラの上部には、シャッターボタン１０３、モードダイヤル１０４、フォーカスモードダイヤル１０５が配されている。このデジタルカメラにおいては、シャッターボタン１０３を押圧操作することにより撮像素子が撮像している画像を取り込むことができる。また、モードダイヤル１０４を回転操作することにより静止画撮影モードや動画撮影モードや再生モードなどの各種動作モードの中から所望のモードを選択することができる。また、フォーカスモードダイヤル１０５を回転操作することにより被写体への焦点合わせを自動で行なうか手動で行なうかを選択することができる。
【００１４】
デジタルカメラの前面右には、様々な設定項目を選択・決定可能な前ダイヤル１０６が配されている。デジタルカメラの前面左には、暗所での被写体への焦点合わせを補助するＡＦ補助光ランプ１０７が配されている。デジタルカメラの背面には、被写体を視認可能なファインダー１０８が配されている。デジタルカメラの底面には、デジタルカメラを三脚に固定するための三脚取り付け穴１０９が配されている。
【００１５】
デジタルカメラの右側面には、メモリーカードを収納することができるメモリーカード収納部２０２が配されている。メモリーカード収納部２０２は、カード扉１１０により隠蔽されている。カード扉１１０は、筐体１００に設けられた、カード扉１１０とほぼ同形状の開口部（カード扉１１０とほぼ同形状であるので、図面ではカード扉１１０と輪郭線が重なる。また、符号は付していない）を塞ぐように配され、カード扉軸１１０ａを軸として紙面手前側に開くことができる。カード扉１１０がメモリーカード収納部２０２を隠蔽している状態で、カード扉１１０と筐体１００（カード扉１１０用の開口部の端縁）の間にはわずかな間隙が存在する。なお、間隙は微小であるため、図示していない。
【００１６】
デジタルカメラの底面には、バッテリーを収納することができるバッテリー収納部２０１が配されている。バッテリー収納部２０１は、バッテリー扉１１１により隠蔽されている。バッテリー扉１１１は、筐体１００に設けられた、バッテリー扉１１１とほぼ同形状の開口部（バッテリー扉１１１とほぼ同形状であるので、図面ではバッテリー扉１１１と輪郭線が重なる。また、符号は付していない）を塞ぐように配され、バッテリー扉軸１１１ａを軸として紙面手前側に開くことができる。バッテリー扉１１１がバッテリー収納部２０１を隠蔽している状態で、バッテリー扉１１１と筐体１００（バッテリー扉１１１用の開口部の端縁）の間にはわずかな間隙が存在する。なお、間隙は微小であるため、図示していない。
【００１７】
２．デジタルカメラの操作
次に、ユーザによるデジタルカメラの操作例について説明する。まず、ユーザは、デジタルカメラの電源を投入する。電源スイッチは、デジタルカメラの上部に存在するが記載を省略している。ユーザは、モードダイヤル１０４を回転操作することにより静止画撮影モード又は動画撮影モードを選択する。ユーザは、フォーカスモードダイヤル１０５を回転操作することにより被写体への焦点合わせを自動で行なうか手動で行なうかを選択する。
【００１８】
ユーザは、ファインダー１０８で被写体を確認しながら交換レンズ１０１のズームリング１０１ａを回転操作することにより画角を決定する。ユーザは、シャッターボタン１０３を押圧操作する。ここで、モードダイヤル１０４により静止画撮影モードが選択されているときは、シャッターボタン１０３を１回押圧操作することにより、撮像された静止画がメモリーカード収納部２０２に収納されたメモリーカードに記録される。モードダイヤル１０４により動画撮影モードが選択されているときは、ユーザによるシャッターボタン１０３の１回目の押圧操作により動画撮影が開始し、シャッターボタン１０３の２回目の押圧操作により動画撮影が終了する。撮影された動画は、メモリーカード収納部２０２に収納されたメモリーカードに記録される。
【００１９】
ユーザは、モードダイヤル１０４を回転操作することにより再生モードを選択する。ユーザは、前ダイヤル１０６を回転操作することにより、再生すべき静止画又は動画を選択する。ユーザは、前ダイヤル１０６を押圧操作することにより、選択された静止画又は動画を再生する。音声付静止画又は動画の再生時、筐体１００の内部に配されたスピーカーから音声が再生される。
【００２０】
３．音声出力に関連したデジタルカメラの要部の構成
図２は、音声出力に関連したデジタルカメラの要部の透視図である。図２（ａ）は、デジタルカメラの右側面の要部透視図である。図２（ｂ）は、デジタルカメラの上面の要部透視図である。図２（ａ）、図２（ｂ）に示すように、点線で示したスピーカー２００は、破線で示したバッテリー収納部２０１に隣接して配される。一点鎖線で示したメモリーカード収納部２０２は、破線で示したバッテリー収納部２０１に隣接して配される。
【００２１】
図３は、図２(ｂ)におけるスピーカー２００及びその周辺の詳細図である。図３においては、図面の視認性に配慮してスピーカー２００など筐体１００内部に配されている部材も実線で示している。
【００２２】
スピーカー２００は、バッテリー収納部２０１に一体に形成されたスピーカー固定枠２０１ａに、内シーリング２０５を具備する板金２０６を介して、ネジ２０７によって固定されている。ネジ２０７は、板金２０６をバッテリー収納部２０１に取り付けるものである。スピーカー２００は、クッション２０３を介してバッテリー収納部２０１に当接している。このようにスピーカー２００とバッテリー収納部２０１の間にクッション２０３を介設することにより、スピーカー固定枠２０１ａに成形誤差があったとしても、スピーカー２００をスピーカー固定枠２０１ａに容易に密着させることができ、かつ内シーリング２０５をスピーカー固定枠２０１ａに容易に密着させることができる。スピーカー２００の発音部２００ａはバッテリー収納部２０１と反対の方向を向いている。
【００２３】
図４は、一般的なスピーカー装置の構成図である。スピーカー装置３００は、スピーカー３０１と、スピーカー３０１を内蔵し背気室３０３と前気室３０４とを遮断する筐体３０２と、から構成される。
【００２４】
スピーカー３０１の音を観測するのは前気室３０４の側においてである。音とは大気中では空気の粗密の波である。スピーカー３０１が動作するとき、背気室３０３と前気室３０４との圧力変動の関係は逆位相となる。背気室３０３の圧力変動が疎であり前気室３０４の圧力変動が密である場合において、背気室３０３と前気室３０４との遮断が充分でないときは、前気室３０４の圧力変動は背気室３０３の圧力変動に相殺され小さくなる。すなわち、スピーカー３０１から出力される音は、背気室３０３と前気室３０４とが遮断されていない場合、小さくなってしまう。
【００２５】
そこで、本実施形態では、前述したように、スピーカー２００を、バッテリー収納部２０１に一体に形成されたスピーカー固定枠２０１ａに、内シーリング２０５を具備する板金２０６を介して、ネジ２０７によって固定している。このように固定された状態において、内シーリング２０５は、スピーカー２００と板金２０６とにより挟持される。そして、図４における筐体３０２に相当するスピーカー固定枠２０１ａ及びバッテリー収納部２０１と、内シーリング２０５とによって、スピーカー２００の背面側の背気室３０３Ａと、前面側の前気室３０４Ａとを確実に遮断し、スピーカー２００から出力される音が小さくなることを防いでいる。
【００２６】
また、本実施形態では、筐体１００と板金２０６との間に、外シーリング２０４を介設している。外シーリング２０４は、スピーカー２００におけるメモリーカード収納部２０２とは反対の端部側に配置され、筐体１００内のメモリーカード収納部２０２と反対の方向に音声が伝播しないように板金２０６と筐体１００の間を塞ぐ（密閉する）役割を果たす。
【００２７】
このように構成したことにより、スピーカー２００から出力された音声は、図３に矢印Ａ、Ｂで示す経路、あるいは矢印Ａ、Ｃで示す経路で示しているように、筐体１００の内側の空間を、筐体１００内面、外シーリング２０４、内シーリング２０５等により誘導されて、カード扉１１０の内側まで進み、さらにカード扉１１０と筐体１００の間隙を通って筐体１００の外部に放出される。
【００２８】
このように、筐体１００内に、スピーカー２００から出力された音声をカード扉１１０の内側まで導く連通部４００が構成される。そのとき、外シーリング２０４及び内シーリング２０５によって連通部４００が密閉され、連通部４００から外部への音漏れが良好に防止される。
【００２９】
なお、前述したように筐体１００内のメモリーカード収納部２０２と反対の方向に音声が伝播しないようにスピーカー固定枠２０１ａと筐体１００の間を外シーリング２０４によって塞ぐことが望ましいが、スピーカー２００の発音部２００ａとカード扉１１０を連通する連通部を構成することができれば、外シーリング２０４以外のものによって塞いでもよい。
【００３０】
図５は、筐体１００の外部に放出される音声の周波数特性を示すグラフである。横軸は周波数を示し、縦軸は音圧レベルを示す。破線は外シーリング２０４を設けない場合を示し、実線は外シーリング２０４を設けた場合を示す。同図より、外シーリング２０４を設けた場合、音圧レベルは、約５５０Ｈｚから約３．７ｋＨｚに渡って大きく改善されていることが分かる。
【００３１】
図６は、筐体１００の外部に放出される音声の周波数特性を示すグラフである。横軸は周波数を示し、縦軸は音圧レベルを示す。破線は内シーリング２０５を設けない場合を示し、実線は内シーリング２０５を設けた場合を示す。同図より、内シーリング２０５を設けた場合、音圧レベルは、約９００Ｈｚ以下の領域で５ｄＢ、約１．５ｋＨｚから約５ｋＨｚの領域で約１０ｄＢ、大きく改善されていることが分かる。
【００３２】
本実施形態のデジタルカメラによれば、スピーカー２００から発せられた音声を、連通部４００を介してカード扉１１０まで導き、筐体１００とカード扉１１０（可動部）等との間の間隙から外部に音声を出力する。このように、連通部４００を介して音声をデジタルカメラの外部に導くことにより、筐体に設けられた音声出力用の孔の位置に依存せず、スピーカーの配置位置を決定できるようになる。このため、スピーカー配置の自由度が増し、所望の場所にスピーカーを配置できることから、デジタルカメラの小型化・薄型化を実現できる。また、筐体１００とカード扉１１０等の間の隙間から音声を出力するため、音声出力用の多孔部を設けなくとも良好な音響効果を得ることができる。
【００３３】
４．その他の実施の形態
本実施の形態では、メモリーカード収納部２０２を隠蔽するカード扉１１０と筐体１００の間隙から音声を筐体１００の外部に放出する構成としたがこれに限らない。例えば、バッテリー収納部２０１を隠蔽するバッテリー扉１１１と筐体１００の間隙から音声を筐体１００の外部に放出する構成としてもよい。その場合、スピーカー２００の発音部２００ａとバッテリー扉１１１を連通する連通部を設ければよい。さらに、カード扉１１０と筐体１００の間隙、及びバッテリー扉１１１と筐体１００の間隙の両方から音声を筐体１００の外部に放出する構成としてもよい。
【００３４】
また、操作スイッチと筐体１００の間隙から音声を筐体１００の外部に放出する構成としてもよい。以下、この場合の構成例について図７を参照して説明する。図７は、デジタルカメラの背面図である。デジタルカメラの背面には、液晶モニター１１２とカーソルボタン１１３が配されている。
【００３５】
液晶モニター１１２には、再生モードが選択されているときに、ユーザが前ダイヤル１０６(図１（ａ）参照）を回転操作することにより選択し、前ダイヤル１０６を押圧操作することにより決定した静止画又は動画が再生表示される。
【００３６】
カーソルボタン１１３は、上ボタン１１３ａ、右ボタン１１３ｂ、下ボタン１１３ｃ、左ボタン１１３ｄ、メニューセットボタン１１３ｅで構成されている。前ダイヤル１０６と同様に、カーソルボタン１１３を押圧操作することにより様々な設定項目を選択・決定することができる。上ボタン１１３ａ、右ボタン１１３ｂ、下ボタン１１３ｃ、左ボタン１１３ｄ、メニューセットボタン１１３ｅは、筐体１００に各ボタン毎に形成された、各ボタンとほぼ同形状の開口部内に設けられている。これらのボタンは、それぞれ、その先端が筐体１００の表面に対して突出するように配されている。各カーソルボタン１１３と筐体１００に形成された各開口部（その端縁）の間には、カーソルボタン１１３をスムーズにストロークさせることができるように微小な間隙が存在する（微小であるため、図示していない）。これらの微小な間隙から音声が筐体１００外部に放出される。
【００３７】
カーソルボタン１１３と筐体１００の間隙から音声を筐体１００の外部に放出する構成においては、静止画又は動画を再生表示する液晶モニター１１２と、音声を筐体１００の外部に放出するカーソルボタン１１３と筐体１００の間隙とが、近傍かつ同一面内に存在するので、ユーザが自然な視聴を行うことができる。また、カーソルボタン１１３が複数存在するので、筐体１００に多孔部を設けた場合と同様の効果が得られる。なお、ここではプッシュスイッチの一例であるカーソルボタン１１３を挙げたが、操作スイッチはスライドスイッチであっても構わない。
【００３８】
さらに、外部接続端子を隠蔽する端子扉と筐体１００の間隙から音声を筐体１００の外部に放出する構成としてもよい。この構成は、カード扉１１０と筐体１００の間隙から音声を筐体１００の外部に放出する場合と同様の構成となるので図示は省略する。デジタルカメラには、例えば、ＨＤＭＩ端子とデジタルアウト端子が配されているが、これらを使用しないときにはこれらの端子用の端子扉によって隠蔽されている。デジタルカメラのＨＤＭＩ端子とＨＤＭＩ端子付テレビのＨＤＭＩ端子とをＨＤＭＩケーブルで接続することで、高画質な画像をテレビで楽しむことができる。デジタルカメラのデジタルアウト端子をパソコンのＵＳＢ端子にＵＳＢケーブルで接続することで、デジタルカメラの画像をパソコンに取り込むことができる。
【００３９】
なお、強度が確保できるならば、カード扉１１０やバッテリー扉１１１や端子扉に多孔部を設ける構成としてもよい。
【００４０】
上記の実施形態において、スピーカー２００は発音体の一例である。また、カード扉１１０、バッテリー扉１１１、カーソルボタン１１３は可動部の一例である。内シーリング２０５は第１の遮蔽部材の一例である。外シーリング２０４は第２の遮蔽部材の一例である。板金２０６は固定部材の一例である。バッテリー収納部２０１及びメモリーカード収納部２０２は収納部の一例である。
【００４１】
以上説明した通り、デジタルカメラの小型化・薄型化により多孔部を形成するスペースを確保することができなかったとしても、筐体１００と可動部の間の間隙から音声を筐体１００の外部に放出することで良好な音響効果を得ることができる。
【産業上の利用可能性】
【００４２】
本発明によれば、小型化・薄型化を実現しながら良好な音響効果を得ることができる。したがって、デジタルカメラ、携帯電話端末、携帯型テレビジョン受像機、携帯ゲーム機など音声を出力可能なスピーカーを備えた様々な電子機器に適用できる。
【符号の説明】
【００４３】
１００  筐体
１０１  交換レンズ
１０２  レンズ取り外しボタン
１０３  シャッターボタン
１０４  モードダイヤル
１０５  フォーカスモードダイヤル
１０６  前ダイヤル
１０７  ＡＦ補助光ランプ
１０８  ファインダー
１０９  三脚取り付け穴
１１０  カード扉
１１１  バッテリー扉
１１２  液晶モニター
１１３  カーソルボタン
２０１  バッテリー収納部
２０２  メモリーカード収納部
２０３  クッション
２０４  外シーリング
２０５  内シーリング
２０６  板金
２０７  ネジ
３００  スピーカー装置
３０１  スピーカー
３０２  筐体
３０３  背気室
３０４  前気室
４００  連通部
【図１】
2010273334.tif 000003
【図２】
2010273334.tif 000004
【図３】
2010273334.tif 000005
【図４】
2010273334.tif 000006
【図５】
2010273334.tif 000007
【図６】
2010273334.tif 000008
【図７】
2010273334.tif 000009